【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
デュアルモジュールポータブルデバイスであって、
第１のディスプレイを有する第１のモジュールであって、前記第１のモジュールは、
前記第１のモジュールの第１の動きを検出し、
前記検出された第１の動きに少なくとも部分的に基づいて、第２のモジュールに対する相対的な第１の位置を決定し、
前記第１の位置および前記第１の動きの少なくとも１つに関連する第１の動作を決定し、
前記第１のモジュールおよび前記第２のモジュールの少なくとも１つにおいて前記第１の動作を実行する
ように動作する、第１のモジュールと、
第２のディスプレイを有する前記第２のモジュールであって、前記第２のモジュールは、
前記第２のモジュールの第２の動きを検出し、
前記検出された第２の動きに少なくとも部分的に基づいて、前記第１のモジュールに対する相対的な第２の位置を決定し、
前記第２の位置および前記第２の動きの少なくとも１つに関連する第２の動作を決定し、
前記第１のモジュールおよび前記第２のモジュールの少なくとも１つにおいて前記第２の動作を実行する
ように動作する、前記第２のモジュールと
を備えることを特徴とするデュアルモジュールポータブルデバイス。
【請求項２】
前記第１のモジュールは、ビデオストリームを通信するように動作する音声サービスおよびデータサービスの少なくとも第１の部分を提供するようにさらに動作し、
前記第２のモジュールは、オーディオストリームを通信するように動作する前記音声サービスおよびデータサービスの少なくとも第２の部分を提供するようにさらに動作する
ことを特徴とする請求項１に記載のデュアルモジュールポータブルデバイス。
【請求項３】
前記第１のモジュールは、少なくとも１つの第１の加速度計を備え、および
前記少なくとも１つの第１の加速度計から第１の読込値を受信し、
前記受信した第１の読込値を前記第２のモジュールに無線で通信するようにさらに動作し、
前記第２のモジュールは、少なくとも１つの第２の加速度計を備え、および
前記少なくとも１つの第２の加速度計から第２の読込値を受信し、
前記受信した第２の読込値を前記第１のモジュールに無線で通信するようにさらに動作する
ことを特徴とする請求項１に記載のデュアルモジュールポータブルデバイス。
【請求項４】
前記第１のモジュールは、
前記第２のモジュールから前記第２の読込値を無線で受信し、
前記受信した第２の読込値および前記第１の位置に少なくとも部分的に基づいて、前記第２のモジュールまでの近接距離を算出するようにさらに動作し、
前記第２のモジュールは、
前記第１のモジュールから前記第１の読込値を無線で受信し、
前記受信した第１の読込値および前記第２の位置に少なくとも部分的に基づいて、前記第１のモジュールまでの近接距離を算出するようにさらに動作することを特徴とする請求項３に記載のデュアルモジュールポータブルデバイス。
【請求項５】
前記第１のモジュールは、前記算出された前記第２のモジュールまでの近接距離に基づいて前記第１の動作を決定するように動作し、
前記第２のモジュールは、前記算出された前記第１のモジュールまでの近接距離に基づいて前記第２の動作を決定するように動作する
ことを特徴とする請求項４に記載のデュアルモジュールポータブルデバイス。
【請求項６】
前記第１のモジュールは、前記算出された前記第２のモジュールまでの近接距離および前記第１の位置の少なくとも１つに基づいて、ユーザインターフェースの少なくとも第１の部分を表示するようにさらに動作し、
前記第２のモジュールは、前記算出された前記第１のモジュールまでの近接距離および前記第２の位置の少なくとも１つに基づいて、前記ユーザインターフェースの少なくとも第２の部分を表示するようにさらに動作する
ことを特徴とする請求項４に記載のデュアルモジュールポータブルデバイス。
【請求項７】
前記第１のモジュールおよび前記第２のモジュールは、磁力を介して結合モジュールを形成するために、互いに物理的に結合されるように設計されていることを特徴とする請求項１に記載のデュアルモジュールポータブルデバイス。
【請求項８】
前記結合モジュールは、前記第１のディスプレイおよび前記第２のディスプレイから成る連続的なディスプレイを形成することを特徴とする請求項７に記載のデュアルモジュールポータブルデバイス。
【請求項９】
前記結合モジュールは、前記結合モジュールのフロントサイドに前記第１のディスプレイを備え、前記結合モジュールのバックサイドに前記第２のディスプレイを備えることを特徴とする請求項７に記載のデュアルモジュールポータブルデバイス。
【請求項１０】
前記第１のモジュールは、少なくとも１つのオブジェクトを表示するようにさらに動作し、前記第２のモジュールは、前記少なくとも１つのオブジェクトに対する文脈データを表示するように動作することを特徴とする請求項７に記載のデュアルモジュールポータブルデバイス。
【請求項１１】
デュアルモジュールデバイスを動作させる方法であって、
前記方法は、
前記デュアルモジュールデバイスの位置を決定するステップと、
前記位置に関連するユーザインターフェースを表示するステップであって、前記ユーザインターフェースは、前記デュアルモジュールデバイスの第１のモジュールにおける第１のディスプレイおよび前記デュアルモジュールデバイスの第２のモジュールにおける第２のディスプレイを備える、ステップと、
前記デュアルモジュールデバイスの前記第２のモジュールに相対する、前記デュアルモジュールデバイスの前記第１のモジュールの第１のポジションを決定するステップと、
前記第１のポジションに関連する前記ユーザインターフェースの第１のセグメントを提供するために、前記ユーザインターフェースの前記第１のディスプレイを修正するステップと、
前記デュアルモジュールデバイスの前記第１のモジュールに相対する、前記デュアルモジュールデバイスの前記第２のモジュールの第２のポジションを決定するステップと、
前記第２のポジションに関連する前記ユーザインターフェースの第２のセグメントを提供するために、前記ユーザインターフェースの前記第２のディスプレイを修正するステップと
を備えることを特徴とする方法。
【請求項１２】
前記位置に関連する前記ユーザインターフェースを表示するステップは、前記位置に関連するインタラクティブマップを表示することを備えることを特徴とする請求項１１に記載の方法。
【請求項１３】
前記デュアルモジュールデバイスの前記第２のモジュールに相対する前記デュアルモジュールデバイスの前記第１のモジュールの第１のポジションを決定するステップ、および前記デュアルモジュールデバイスの前記第１のモジュールに相対する前記デュアルモジュールデバイスの前記第２のモジュールの第２のポジションを決定するステップは、
前記デュアルモジュールデバイスの前記第１のモジュールから第１の加速度計の読込値を受信するステップと、
前記デュアルモジュールデバイスの前記第２のモジュールから第２の加速度計の読込値を受信するステップと、
前記デュアルモジュールデバイスの前記第１のモジュールから前記デュアルモジュールデバイスの前記第２のモジュールまでの近接距離を算出するステップと
を備えることを特徴とする請求項１１に記載の方法。
【請求項１４】
前記デュアルモジュールデバイスの前記第２のモジュールに相対する前記デュアルモジュールデバイスの前記第１のモジュールの動きを検出するステップと、
前記動きを検出することに応答して前記ユーザインターフェースの前記第１のディスプレイを操作するステップと
をさらに備えることを特徴とする請求項１１に記載の方法。
【請求項１５】
前記動きを検出することに応答して前記ユーザインターフェースの前記第１のディスプレイを操作するステップは、
前記ユーザインターフェースの第１のディスプレイを拡大表示することと、
前記ユーザインターフェースの前記第１のディスプレイを縮小表示することと、
前記ユーザインターフェースの前記第１のディスプレイを回転させることと、
の少なくとも１つを備えることを特徴とする請求項１４に記載の方法。
【手続補正２】
【補正対象書類名】明細書
【補正対象項目名】０００９
【補正方法】変更
【補正の内容】
【０００９】
図１は、１つのオペレーティング環境を示した図である。図１に示されているように、デュアルモジュール型ポータブルデバイス１００は、第１のモジュール１００Ａと第２のモジュール１００Ｂとを含むことができる。第１のモジュール１００Ａ又は第２のモジュール１００Ｂは、図５に基づいて下記により詳細に説明されるコンピューティングデバイス５００を含んでいてよい。第１のモジュール１００Ａ又は第２のモジュール１００Ｂは、限定されるものではないが、米国特許出願第１２／４０７，０５８号、発明の名称「Projected Way-Finding」の図１に関連して少なくとも説明されているポータブルデバイス１００に関連した様々な実施形態に従って、動作可能にすることができる。加えて、第１のモジュール１００Ａ又は第２のモジュール１００Ｂは、米国特許出願第１２／４０７，００９号、発明の名称「Tear-Drop Way-Finding」の図１に関連して少なくとも説明されているユーザインターフェース１００の様々な実施形態を、提供できる。
【手続補正３】
【補正対象書類名】明細書
【補正対象項目名】００１１
【補正方法】変更
【補正の内容】
【００１１】
図２は、他のオペレーティング環境を示す図である。図２に示されているように、第１のモジュール１００Ａと第２のモジュール１００Ｂを、様々な手法によりお互いに磁気的に接続することができる。例えば、第１のモジュール１００Ａと第２のモジュール１００Ｂは、磁気帯を各端部に有し、これによりユーザ１０５が、モジュールの端部同士を接続することを可能にする。このように、第１のモジュール１００Ａと第２のモジュール１００Ｂが、端部同士で接続されると、ユーザ１０５は、第１のモジュール１００Ａの第１のマルチタッチ式のフルスクリーンディスプレイ２００に表示された対象物を、第２のモジュール１００Ｂの第２のマルチタッチ式のフルスクリーンディスプレイ２０５へ、ドラッグアンドドロップ操作することができる。他の実施形態では、第１のモジュール１００Ａと第２のモジュール１００Ｂが、背中合わせで磁気的に接続されてもよい（図示せず）。従って、第２のディスプレイ２０５が対象物２１０を表示することができる一方で、第１のディスプレイ２００は、当該表示された対象物２１０に関連した文脈情報２１５を表示することができる。